(57)【要約】【課題】携帯端末の利用者に、客の来店時間に応じた割引設定をする店舗へ足を運ぶか否かを判断するための適切な判断材料を与えて、実際の客の来店時間と店の要望が合致しないことによる店舗営業の効率悪さを改善する。【解決手段】サーバ４は、割引が行われる来店時間である割引設定時間と、割引設定時間に対応する割引内容とからなる第１割引設定情報４２に基づいて、携帯端末の利用者が当該店舗へ来店する場合に予測される「最早予測時刻」に対応する割引設定時間５１と該割引設定時間に係る第１割引額５０を示す割引店地図情報を取得する。そして当該割引店地図情報が、携帯端末の表示装置２７により表示されると共に、携帯型プリンタ３の印刷部１３と感熱用紙４６により表示される。【選択図】図７
2011138328.tif 000002
【特許請求の範囲】
【請求項１】
携帯端末と、該携帯端末と通信可能なサーバとを含み、該携帯端末の利用者は該サーバが保有する店舗のサービス情報を利用して、店舗の選択が可能であると共に該選択した店舗の割引サービスを受けることが可能な商取引システムにおいて、
前記サーバは、割引が行われる来店時間である割引設定時間と、割引設定時間に対応する割引内容とからなる第１割引設定情報を記憶する第１割引設定記憶手段と、
前記携帯端末の利用者が前記店舗に来店する場合の予測来店時刻を取得する予測時刻取得手段と、
前記第１割引設定情報に基づき、前記予測来店時刻に対応する割引設定時間と該割引設定時間に係る第１割引内容を示す第１割引情報を取得する割引情報取得手段と、を備え、
前記携帯端末は、前記第１割引情報を表示する表示手段を備えることを特徴とする商取引システム。
【請求項２】
前記携帯端末は、現在位置を特定する現在位置情報を取得する手段を備え、
前記サーバは、前記携帯端末から前記現在位置情報を受信する受信手段と、
前記店舗の位置に係る店位置情報を記憶する店位置記憶手段と、を備え、  
前記割引情報取得手段は、前記現在位置情報と前記店位置情報を用いて、前記現在位置と前記店舗の位置とを示す地図と共に前記予測来店時刻に対応する割引設定時間と該割引設定時間に係る第１割引内容を示す割引店地図情報を作成して、当該割引店地図情報を前記第１割引情報として取得することを特徴とする請求項１に記載の商取引システム。
【請求項３】
前記携帯端末は、現在位置を特定する現在位置情報を取得する手段を備え、
前記サーバは、前記携帯端末から前記現在位置情報を受信する受信手段と、
前記店舗の位置に係る店位置情報を記憶する店位置記憶手段と、を備え、
前記予測時刻取得手段は、前記店位置情報と前記現在位置情報と現在時刻とに基づき前記予測来店時刻を算出することを特徴とする請求項１に記載の商取引システム。
【請求項４】
前記携帯端末の表示手段は、該携帯端末と接続可能な携帯型プリンタが有する印字媒体と該印字媒体に印刷可能な印刷手段とからなり、
前記サーバ又は前記携帯端末は、前記第１割引情報から印刷情報を作成する手段を備え、
前記印刷手段は前記印刷情報を前記印字媒体に印刷することにより、前記予測来店時刻に対応する割引設定時間と該割引設定時間に係る第１割引内容を示すクーポン券を作成し、
前記携帯端末の利用者は前記店舗へ前記予測来店時刻に対応する割引設定時間に来店して該クーポン券を提示することにより第１割引内容による割引サービスを受けることが可能であることを特徴とする請求項１乃至請求項３のいずれかに記載の商取引システム。
【請求項５】
前記サーバは、前記予測来店時刻に対応する割引設定時間と該割引設定時間に係る第１割引内容からなりＲＦＩＤタグに読み書き可能なＲＦＩＤ情報を作成する手段を備え、  
前記携帯端末は、該携帯端末と接続可能な携帯型プリンタを備え、
前記携帯型プリンタは、ＲＦＩＤタグが設けられた印字媒体と、  
前記ＲＦＩＤタグに前記ＲＦＩＤ情報を書き込むＲＦＩＤ書き込み手段と、を備え、
前記ＲＦＩＤ書き込み手段が前記ＲＦＩＤ情報を前記印字媒体に設けられた前記ＲＦＩＤタグに書き込むことにより、ＲＦＩＤタグ付きのクーポン券が作成され、
前記店舗へ前記予測来店時刻に対応する割引設定時間に来店した前記携帯端末の利用者が提示する前記クーポン券の前記ＲＦＩＤタグが該ＲＦＩＤ読み取り手段に読み取られることにより、該携帯端末の利用者は第１割引内容による割引サービスを受けることが可能であることを特徴とする請求項１乃至請求項３のいずれかに記載の商取引システム。
【請求項６】
前記第１割引設定記憶手段は複数の店舗に係る第１割引設定情報を記憶し、
前記店位置記憶手段は前記複数の店舗に係る店位置情報を記憶し、
前記割引店地図情報は、前記複数店舗のうち前記現在位置の周辺の複数店舗の位置を前記地図上に示すと共に、該周辺の複数店舗に係る前記予測来店時刻に対応する割引設定時間と該割引設定時間に係る第１割引内容を店舗毎に示すことを特徴とする請求項２に記載の商取引システム。
【請求項７】
携帯端末と、該携帯端末と通信可能なサーバとを含み、該携帯端末の利用者は該サーバが保有する店舗のサービス情報を利用して、店舗の選択が可能であるとともに該選択した店舗のサービスを受けることが可能な商取引システムにおいて、
前記サーバは、割引が行われる来店時間である割引設定時間と割引設定時間に係る割引内容を有すると共に、前記携帯端末の現在位置と店舗の距離に対応する割引内容を有する第２割引設定情報を記憶する第２割引設定記憶手段と、
前記店舗の位置に係る店位置情報を記憶する店位置記憶手段と、
前記携帯端末の現在位置に係る現在位置情報を受信する受信手段と、
前記携帯端末の利用者の前記店舗に来店する場合の予測来店時刻を取得する予測時刻取得手段と、
前記店位置情報と前記現在位置情報から前記店舗と前記現在位置との距離を取得する距離取得手段と、
前記第２割引設定情報に基づいて、前記予測来店時刻に対応する割引設定時間と、当該割引設定時間に対応すると共に前記距離に対応する第２割引内容を示す第２割引情報を取得する第２割引取得手段と、を備え、  
前記携帯端末は、前記第２割引情報を表示する表示手段を備えることを特徴とする商取引システム。
【請求項８】
携帯端末の利用者が、該携帯端末と通信可能なサーバが保有する店舗のサービス情報を利用して店舗の選択が可能であると共に該選択した店舗のサービスを受けることが可能な商取引方法において、
前記サーバが、割引が行われる来店時間である割引設定時間と、割引設定時間に対応する割引内容とからなる第１割引設定情報を記憶する工程と、
前記サーバが、前記携帯端末の利用者の前記店舗に来店する場合の予測来店時刻を取得する工程と、
前記サーバが、前記第１割引設定に基づいて前記予測来店時刻に対応する割引設定時間と該割引設定時間に係る第１割引内容を示す第１割引情報を取得する工程と、
前記携帯端末が、前記第１割引情報を表示する工程と、を有することを特徴とする商取引方法。
【請求項９】
携帯端末と通信可能で印字媒体と該印字媒体に印刷する印刷手段とを備える携帯型プリンタであって、
前記携帯端末と通信可能なサーバは、
割引が行われる来店時間である割引設定時間と、割引設定時間に対応する割引内容とからなる第１割引設定情報を記憶する第１割引設定記憶手段と、
前記携帯端末の利用者の前記店舗に来店する場合の予測来店時刻を取得する予測時刻取得手段と、
前記第１割引設定情報に基づき前記予測来店時刻に対応する割引設定時間と該割引設定時間に係る第１割引内容を示す第１割引情報を取得する割引情報取得手段と、を備え、
前記サーバ又は前記携帯端末は、前記第１割引情報から印刷情報を作成する手段を備え、
前記印刷手段は前記印刷情報を前記印字媒体に印刷することにより、前記予測来店時刻に対応する割引設定時間と該割引設定時間に係る第１割引内容を示すクーポン券を作成することを特徴とする携帯型プリンタ。
【請求項１０】
サーバと通信可能な携帯端末と接続可能な携帯型プリンタであって、
前記サーバは、割引が行われる来店時間である割引設定時間と、割引設定時間に対応する割引内容とからなる第１割引設定情報を記憶する第１割引設定記憶手段と、
前記携帯端末の利用者の前記店舗に来店する場合の予測来店時刻を取得する予測時刻取得手段と、
前記第１割引設定情報に基づき、前記予測来店時刻に対応する割引設定時間と該割引設定時間に係る第１割引内容を示す第１割引情報を取得する割引情報取得手段と、
前記予測来店時刻に対応する割引設定時間と該割引設定時間に係る第１割引内容からなりＲＦＩＤタグに読み書き可能なＲＦＩＤ情報を作成する手段と、を備え、
前記携帯端末は、前記第１割引情報を表示する表示手段を備え、
前記携帯型プリンタは、ＲＦＩＤタグが設けられた印字媒体と、
前記印字媒体に設けられたＲＦＩＤタグに前記ＲＦＩＤ情報を書き込むＲＦＩＤ書き込み手段と、を備え、
前記ＲＦＩＤ書き込み手段が前記ＲＦＩＤ情報を前記印字媒体に設けられたＲＦＩＤタグに書き込むことにより、ＲＦＩＤタグ付きのクーポン券が作成されることを特徴とする携帯型プリンタ。
【発明の詳細な説明】
【技術分野】
【０００１】
本発明は、携帯端末の利用者が、該携帯端末と通信可能なサーバが保有する店舗のサービス情報を取得して、店舗を選択することが可能であると共に該選択した店舗のサービスを受けることが可能な商取引システム、商取引方法、及び当該商取引システムが有する携帯型プリンタに関するものである。
【背景技術】
【０００２】
従来から、携帯端末の利用者が、該携帯端末と通信可能なサーバが保有する店舗のサービス情報を利用して、店舗を選択することが可能であると共に該選択した店舗のサービスを受けることが可能な商取引システムが知られている。
例えば特許文献１においては、携帯電話５の利用者が、サーバシステム１０にアクセスすると、サーバシステム１０は複数店舗の提供可能なサービスの一覧を示し、利用者がそのいずれかを選択すると認可したことを示す識別情報を含んだページを表示する。利用者は携帯電話５にその識別情報を含んだページをダウンロードし、選択した店舗２０でその識別情報を示してサービスの提供を受ける。
【先行技術文献】
【特許文献】
【０００３】
【特許文献１】特開２００１−２５６３８８号公報
【発明の概要】
【発明が解決しようとする課題】
【０００４】
ここで多くの飲食店や小売店等では実際の客の来店時間が店舗側の事情と合致しないことによる効率悪さが重要な問題となっており、来店時間に応じた割引サービスを行いたいという事業者は少なからず存在すると考えられる。しかし、特許文献１の技術では、携帯電話の利用者の来店時間に応じた割引サービスについては記載せず、このような店舗の問題を解決しうるものとなっていない。
また、特許文献１の発明は単に店舗のサービス内容を提示するに留まる。よって仮に特許文献１の発明において携帯端末の利用者に提示されるサービス情報の中に、来店時間に応じた割引サービス情報が含まれていても、それは単に割引設定の紹介に留まり、携帯端末の利用者はその割引サービス情報を見ても、いつその店舗へ来店すればどんな割引を受けられるのか容易に把握できないから、当該店舗へ足を運ぶか否かの判断材料とはなりにくく、結果として当該店舗へ足を運ばず、上記の店舗の問題を解決できない。
【０００５】
そこで、本発明は、上述した問題点を解決するためになされたものであり、携帯端末の利用者に、客の来店時間に応じた割引設定をする店舗へ足を運ぶか否かを判断するための適切な判断材料を与えることにより当該店舗へ足を運び易くさせて、実際の客の来店時間と店の要望が合致しないことによる店舗営業の効率悪さを改善することを目的とする。
【課題を解決するための手段】
【０００６】
前記目的を達成するため請求項１に係る商取引システムは、携帯端末と、該携帯端末と通信可能なサーバとを含み、該携帯端末の利用者は該サーバが保有する店舗のサービス情報を利用して、店舗の選択が可能であると共に該選択した店舗の割引サービスを受けることが可能な商取引システムにおいて、前記サーバは、割引が行われる来店時間である割引設定時間と、割引設定時間に対応する割引内容とからなる第１割引設定情報を記憶する第１割引設定記憶手段と、前記携帯端末の利用者が前記店舗に来店する場合の予測来店時刻を取得する予測時刻取得手段と、前記第１割引設定情報に基づき、前記予測来店時刻に対応する割引設定時間と該割引設定時間に係る第１割引内容を示す第１割引情報を取得する割引情報取得手段と、を備え、前記携帯端末は、前記第１割引情報を表示する表示手段を備えることを特徴とする。
【０００７】
また請求項２の商取引システムは、請求項１に記載の商取引システムにおいて、前記携帯端末は、現在位置を特定する現在位置情報を取得する手段を備え、前記サーバは、前記携帯端末から前記現在位置情報を受信する受信手段と、前記店舗の位置に係る店位置情報を記憶する店位置記憶手段と、を備え、前記割引情報取得手段は、前記現在位置情報と前記店位置情報を用いて、前記現在位置と前記店舗の位置とを示す地図と共に前記予測来店時刻に対応する割引設定時間と該割引設定時間に係る第１割引内容を示す割引店地図情報を作成して、当該割引店地図情報を前記第１割引情報として取得することを特徴とする。
【０００８】
また請求項３の商取引システムは、請求項１に記載の商取引システムにおいて、前記携帯端末は、現在位置を特定する現在位置情報を取得する手段を備え、前記サーバは、前記携帯端末から前記現在位置情報を受信する受信手段と、前記店舗の位置に係る店位置情報を記憶する店位置記憶手段と、を備え、前記予測時刻取得手段は、前記店位置情報と前記現在位置情報と現在時刻とに基づき前記予測来店時刻を算出することを特徴とする。
【０００９】
また請求項４の商取引システムは、請求項１乃至請求項３のいずれかに記載の商取引システムにおいて、前記携帯端末の表示手段は、該携帯端末と接続可能な携帯型プリンタが有する印字媒体と該印字媒体に印刷可能な印刷手段とからなり、前記サーバ又は前記携帯端末は、前記第１割引情報から印刷情報を作成する手段を備え、前記印刷手段は前記印刷情報を前記印字媒体に印刷することにより、前記予測来店時刻に対応する割引設定時間と該割引設定時間に係る第１割引内容を示すクーポン券を作成し、前記携帯端末の利用者は前記店舗へ前記予測来店時刻に対応する割引設定時間に来店して該クーポン券を提示することにより第１割引内容による割引サービスを受けることが可能であることを特徴とする。
【００１０】
また請求項５の商取引システムは、請求項１乃至請求項３のいずれかに記載の商取引システムにおいて、前記予測来店時刻に対応する割引設定時間と該割引設定時間に係る第１割引内容に係りＲＦＩＤタグに読み書き可能なＲＦＩＤ情報を作成する手段を備え、前記携帯端末は、該携帯端末と接続可能な携帯型プリンタを備え、前記携帯型プリンタは、ＲＦＩＤタグが設けられた印字媒体と、前記ＲＦＩＤタグに前記ＲＦＩＤ情報を書き込むＲＦＩＤ書き込み手段と、を備え、前記ＲＦＩＤ書き込み手段が前記ＲＦＩＤ情報を前記印字媒体に設けられた前記ＲＦＩＤタグに書き込むことにより、ＲＦＩＤタグ付きのクーポン券が作成され、前記店舗へ前記予測来店時刻に対応する割引設定時間に来店した前記携帯端末の利用者が提示する前記クーポン券の前記ＲＦＩＤタグが該ＲＦＩＤ読み取り手段に読み取られることにより、該携帯端末の利用者は第１割引内容による割引サービスを受けることが可能であることを特徴とする。      
【００１１】
また請求項６の商取引システムは、請求項２に記載の商取引システムにおいて、前記第１割引設定記憶手段は複数の店舗に係る第１割引設定情報を記憶し、前記店位置記憶手段は前記複数の店舗に係る店位置情報を記憶し、前記割引店地図情報は、前記複数店舗のうち前記現在位置の周辺の複数店舗の位置を前記地図上に示すと共に、該周辺の複数店舗に係る前記予測来店時刻に対応する割引設定時間と該割引設定時間に係る第１割引内容を店舗毎に示すことを特徴とする。
【００１２】
また請求項７の商取引システムは、携帯端末と、該携帯端末と通信可能なサーバとを含み、該携帯端末の利用者は該サーバが保有する店舗のサービス情報を利用して、店舗の選択が可能であるとともに該選択した店舗のサービスを受けることが可能な商取引システムにおいて、前記サーバは、割引が行われる来店時間である割引設定時間と割引設定時間に係る割引内容を有すると共に、前記携帯端末の現在位置と店舗の距離に対応する割引内容を有する第２割引設定情報を記憶する第２割引設定記憶手段と、前記店舗の位置に係る店位置情報を記憶する店位置記憶手段と、前記携帯端末の現在位置に係る現在位置情報を受信する受信手段と、前記携帯端末の利用者の前記店舗に来店する場合の予測来店時刻を取得する予測時刻取得手段と、前記店位置情報と前記現在位置情報から前記店舗と前記現在位置との距離を取得する距離取得手段と、前記第２割引設定情報に基づいて、前記予測来店時刻に対応する割引設定時間と、当該割引設定時間に対応すると共に前記距離に対応する第２割引内容を示す第２割引情報を取得する第２割引取得手段と、を備え、前記携帯端末は、前記第２割引情報を表示する表示手段を備えることを特徴とする。
【００１３】
また請求項８の商取引方法は、携帯端末の利用者が、該携帯端末と通信可能なサーバが保有する店舗のサービス情報を利用して店舗の選択が可能であると共に該選択した店舗のサービスを受けることが可能な商取引方法において、前記サーバが、割引が行われる来店時間である割引設定時間と、割引設定時間に対応する割引内容とからなる第１割引設定情報を記憶する工程と、前記サーバが、前記携帯端末の利用者の前記店舗に来店する場合の予測来店時刻を取得する工程と、前記サーバが、前記第１割引設定に基づいて前記予測来店時刻に対応する割引設定時間と該割引設定時間に係る第１割引内容を示す第１割引情報を取得する工程と、前記携帯端末が、前記第１割引情報を表示する工程と、を有することを特徴とする。
【００１４】
また請求項９の携帯型プリンタは、携帯端末と通信可能で、印字媒体と該印字媒体に印刷する印刷手段とを備える携帯型プリンタであって、前記携帯端末と通信可能なサーバは、割引が行われる来店時間である割引設定時間と、割引設定時間に対応する割引内容とからなる第１割引設定情報を記憶する第１割引設定記憶手段と、前記携帯端末の利用者の前記店舗に来店する場合の予測来店時刻を取得する予測時刻取得手段と、前記第１割引設定情報に基づき前記予測来店時刻に対応する割引設定時間と該割引設定時間に係る第１割引内容を示す第１割引情報を取得する割引情報取得手段と、を備え、前記サーバ又は前記携帯端末は、前記第１割引情報から印刷情報を作成する手段を備え、前記印刷手段は前記印刷情報を前記印字媒体に印刷することにより、前記予測来店時刻に対応する割引設定時間と該割引設定時間に係る第１割引内容を示すクーポン券を作成することを特徴とする。
【００１５】
また請求項１０の携帯型プリンタは、サーバと通信可能な携帯端末と接続可能な携帯型プリンタであって、前記サーバは、割引が行われる来店時間である割引設定時間と、割引設定時間に対応する割引内容とからなる第１割引設定情報を記憶する第１割引設定記憶手段と、前記携帯端末の利用者の前記店舗に来店する場合の予測来店時刻を取得する予測時刻取得手段と、前記第１割引設定情報に基づき、前記予測来店時刻に対応する割引設定時間と該割引設定時間に係る第１割引内容を示す第１割引情報を取得する割引情報取得手段と、前記予測来店時刻に対応する割引設定時間と該割引設定時間に係る第１割引内容からなりＲＦＩＤタグに読み書き可能なＲＦＩＤ情報を作成する手段と、を備え、前記携帯端末は、前記第１割引情報を表示する表示手段を備え、前記携帯型プリンタは、ＲＦＩＤタグが設けられた印字媒体と、前記印字媒体に設けられたＲＦＩＤタグに前記ＲＦＩＤ情報を書き込むＲＦＩＤ書き込み手段と、を備え、前記ＲＦＩＤ書き込み手段が前記ＲＦＩＤ情報を前記印字媒体に設けられたＲＦＩＤタグに書き込むことにより、ＲＦＩＤタグ付きのクーポン券が作成されることを特徴とする。
【発明の効果】
【００１６】
請求項１の商取引システム及び請求項８の商取引方法では、携帯端末の利用者には携帯端末の表示手段を介して予測来店時刻に対応する割引設定時間と、当該割引設定時間に係る第１割引内容が提示されるから、当該割引設定時間に当該店舗へ到着すれば第１割引内容による割引サービスを受けられることが確実且つ容易に把握でき、当該割引設定時間に当該店舗へ足を運ぶという選択をし易くなる。さらに、携帯端末の利用者に提示される割引設定時間は、携帯端末の利用者の来店予測時間に対応しているから、携帯端末の利用者は割引設定時間に当該店舗へ足を運ぶという選択を更にし易い。また、店舗で当該割引設定時間に携帯端末の利用者が来店して表示手段に表示された第１割引情報を示した場合に第１割引内容による割引を行えば、携帯端末の利用者が当該時間に当該店舗へ足を運ぶ更なる動機付けとなる。よって当該店舗では、客の来店時間が店舗側の要望と合致しないことによる効率悪さを改善することができる。
【００１７】
請求項２の商取引システムでは、表示手段に表示される第１割引情報は、予測来店時刻に対応する割引設定時間と該割引設定時間に係る第１割引内容を、現在位置と店舗の位置とを示す地図と共に示す割引店地図情報となる。よって、携帯端末の利用者は、予測来店時刻に対応する割引設定時間に当該店舗へ到着すれば第１割引内容による割引サービスを受けられるだけでなく、店舗が現在位置とどれほど離れているかも確実に把握でき、その店舗へ行くか行かないかという判断を容易に行うことができる。また携帯端末の利用者は地図を基に容易にその店舗へ到着できて便利である。
【００１８】
請求項３の商取引システムでは、携帯端末の利用者が把握できる第１割引内容は、携帯端末の現在位置と店舗の位置と現在時刻とからサーバが算出する予測来店時刻に対応するものとなるから、携帯端末の利用者は現在位置に基づいた適切な第１割引内容を把握でき、その店舗へ行くか行かないかという判断を適切に行うことができる。
【００１９】
請求項４の商取引システムでは、予測来店時刻に対応する割引設定時間、該割引設定時間に係る第１割引内容が印字媒体上で示されるので利用者は更に確実に把握でき、携帯端末の利用者は当該割引設定時間に当該店舗へ足を運ぶという選択をし易くなる。
また携帯端末の利用者は、クーポン券を印刷して店舗へ提示することにより割引サービスを受けられて便利である。また店舗側では、当該割引サービスにより利用者に、予測来店時刻に対応する割引設定時間に当該店舗へ足を運ぶように動機付けられるから、客の来店時間が要望と合致しないことによる効率悪さをより確実に改善することができる。また、印刷情報の内容は、携帯端末がサーバと通信する時間等により変わり易い予測来店時刻に基づくため変化しやすい。しかしこのように変化しやすい印刷内容も携帯型プリンタにより容易に印刷でき便利である。
【００２０】
請求項５の商取引システムでは、携帯端末の利用者はＲＦＩＤタグ付きのクーポン券を作成して店舗へ提示すれば割引サービスを受けられ便利である。また、店舗側でも、所望の時間に客が来店するよう動機付けられるだけでなく、ＲＦＩＤ読み取り手段により容易に割引サービスを行うことができる。また、ＲＦＩＤ情報による割引サービスは店舗ＩＤ等の認証技術と組み合わせることによりクーポンの偽造等を回避できる利点もある。
また、ＲＦＩＤ情報の内容は、携帯端末がサーバと通信する時間等により変わり易い予測来店時刻に基づくため変化しやすい。しかしこのように変化しやすいＲＦＩＤ情報からＲＦＩＤタグ付きクーポン券を携帯型プリンタにより容易に作成でき、非常に便利である。
【００２１】
請求項６の商取引システムでは、携帯端末の利用者は、現在位置の周辺の複数店舗に係る店舗毎の割引設定時間と第１割引内容を一目で把握できるので、複数店舗の割引サービスを店舗との距離を考慮しながら非常に簡単に比較でき、割引内容と店舗との距離の両方を勘案した最適な選択をすることが容易である。また比較の対象は現在位置から足を運び易い現在位置の周辺店舗に限られるため、更に割引サービスの比較がしやすい。
また、周辺の複数店舗が、表示手段に表示された第１割引情報をクーポン情報として取り扱う場合は、携帯端末の利用者は一の第１割引情報により複数の店舗の割引サービスを受けることが可能となり、非常に便利である。
【００２２】
請求項７の商取引システムでは、携帯端末の利用者は、予測来店時刻に対応する割引設定時間に当該店舗へ到着すれば割引サービスを受けられることが確実に把握できるため、該予測来店時刻に対応する割引設定時間に当該店舗へ足を運ぶという選択をし易くなる。また、店舗で当該割引設定時間に携帯端末の利用者が来店して第２割引情報を示した場合に第２割引内容による割引を行えば、携帯端末の利用者が所望時間に来店する更なる動機付けとなる。よって当該店舗では、営業の効率悪さを改善することができる。
さらに、第２割引内容は携帯端末の現在位置と前記店舗との距離にも対応するから、当該店舗が離れた場所にいる携帯端末の利用者には大きな割引を与える割引設定をすることにより携帯端末の利用者が当該店舗へ足を運ぶ更に大きな動機付けとなる。よって店舗は新規顧客の獲得を行うことができる。
【００２３】
また、請求項９の携帯型プリンタでは、携帯端末の利用者にはクーポン券の表示を介して予測来店時刻に対応する割引設定時間と、当該割引設定時間に係る第１割引内容を確実に把握できる。すなわち当該割引設定時間に当該店舗へ到着すれば第１割引内容による割引サービスを受けられることが確実且つ容易に把握でき、当該割引設定時間に当該店舗へ足を運ぶという選択をし易くなる。
また、店舗では、該予測来店時刻に対応する割引設定時間に来店してクーポン券を提示する携帯端末の利用者に第１割引内容による割引サービスを行えば、携帯端末の利用者に予測来店時刻に対応する割引設定時間に当該店舗へ足を運ぶように確実に動機付けられ、客の来店時間が店舗側の要望と合致しないことによる効率悪さをより確実に改善することができる。
【００２４】
また、請求項１０の携帯型プリンタでは、携帯端末の利用者には表示手段を介して予測来店時刻に対応する割引設定時間と、当該割引設定時間に係る第１割引内容を確実に把握できる。すなわち当該割引設定時間に当該店舗へ到着すれば第１割引内容による割引サービスを受けられることが確実且つ容易に把握でき、当該割引設定時間に当該店舗へ足を運ぶという選択をし易くなる。
また店舗では、来店した携帯端末の利用者が提示するクーポン券のＲＦＩＤタグをＲＦＩＤ読み取り手段により読み取ることにより第１割引内容による割引サービスを行えば、携帯端末の利用者に所望の時間に当該店舗へ足を運ぶように確実に動機付けられるだけでなく、ＲＦＩＤ読み取り手段により容易に割引を行うことができ便利である。また、携帯端末の利用者もＲＦＩＤタグ付きのクーポン券を作成して店舗へ提示するだけで割引サービスを受けられ便利である。ＲＦＩＤ情報による割引サービスは店舗ＩＤ等の認証技術と組み合わせることによりクーポンの偽造等を回避できる利点もある。
【図面の簡単な説明】
【００２５】
【図１】本発明に係る商取引システムの概略構成を示す説明図である。
【図２】携帯型プリンタに係るブロック図である。
【図３】携帯端末に係るブロック図である。
【図４】サーバのブロック図である。
【図５】店データベースが記憶する店位置情報の例である。
【図６】割引設定データベースが記憶する第１割引設定情報の例である。
【図７】第１実施形態の商取引システムに係るフローチャートである。
【図８】第１実施形態の割引店地図が携帯端末の表示画面に表示され、且つ携帯型プリンタに印刷されてクーポン券が作成される過程を示す説明図である。
【図９】割引設定データベースが記憶する第２割引設定情報の一例である。
【図１０】第２実施形態の商取引システムに係るフローチャートである。
【発明を実施するための形態】
【００２６】
以下、本発明に係る商取引システム、商取引方法及び携帯型プリンタについて、具体化した実施形態に基づいて図面を参照しつつ詳細に説明する。
【００２７】
まず、第１実施形態に係る商取引システム、商取引方法及び携帯型プリンタについて、図１〜図８に基づき説明する。図１に示すように、第１実施形態の商取引システム１は、携帯型プリンタ２と、携帯型プリンタ２が接続される携帯端末３と、携帯端末３が通信可能なサーバ４と、ＲＦＩＤリーダライタ７を備えた端末６を有する店舗からなる。サーバ４は不図示のインターネットに接続されている。携帯端末３は該インターネットと接続する携帯電話網に接続可能であり、該携帯電話網を介してサーバ４と通信することができる。
【００２８】
まず携帯型プリンタ２について説明する。携帯型プリンタ２は平面視略矩形状であって長手方向の長さは約１６ｃｍ、短手方向の長さが約１０ｃｍで厚み１７ｍｍの略直方体形状をしており、重さは約３００ｇで持ち運び易い。側面に不図示のＢｌｕｅｔｏｏｔｈ（登録商標）アンテナを備えて携帯端末３とＢｌｕｅｔｏｏｔｈ規格に基づいて短距離無線通信が可能であるほか、図１に示すようにＵＳＢケーブル８による接続を介しても携帯端末３と通信可能である。
【００２９】
図２は携帯型プリンタ２のブロック図である。図２のように携帯型プリンタ２は処理制御部１１と、データ記憶部１２、印刷部１３、ＩＣタグ作成部１４からなる。
処理制御部１１は、データ記憶部１２に記憶された種々のプログラムに基づいて、印刷部１３の制御や、上述したＢｌｕｅｔｏｏｔｈアンテナやＵＳＢケーブルを介した携帯端末３との通信を行うものである。
データ記憶部１２は各種制御プログラムや各種初期値等のほか、携帯端末３から送信される印刷情報も記憶する。なお、データ記憶部１２はＱＲコード等の２次元バーコードを印刷するためのプログラムやデータも記憶しており、携帯型プリンタ２では不特定の文字や記号を２次元バーコードデータ化して印刷することにより２次元バーコードを作成することが可能である。
【００３０】
また印刷部１３は携帯型プリンタ２の内部に備えられる不図示の給紙ローラや該給紙ローラを駆動する不図示のパルスモータ、加熱印刷を行う不図示のサーマルヘッド等からなり、印刷情報に基づいて、感熱用紙４６（図８参照）に感熱方式での印刷を行うものである。
ここで、該感熱用紙４６は、印刷前は携帯型プリンタ２の内部に備えられる不図示の給紙ケース内に納められているが、図８のように、その印刷面の端部にＲＦＩＤタグ４７が埋め込まれている。そして図２のＩＣタグ作成部１４は、ＲＦＩＤライタ機能を有し、ＲＦＩＤ情報の書き込み指令を受けると、上述した給紙ローラを回転させて感熱用紙４６の紙送りを行うと共に、紙送り中の感熱用紙４６に埋め込まれたＲＦＩＤタグ４７に当該ＲＦＩＤ情報を書きこむ。なお本実施形態ではＲＦＩＤタグ４７へのＲＦＩＤ情報の書き込みは印刷情報の印刷と同時に行われるので、後述のクーポン券４８の作製は１回の紙送りで済む。
【００３１】
また、本実施形態の携帯端末３は図３のブロック図のように、装置全体を統括制御する処理制御部２２、各種データやプログラムを記憶するデータ記憶部２３、液晶や有機ＥＬディスプレイ等からなる表示部２４、所定の通信方式に基づいて上記携帯電話網と接続するほか、携帯端末３とＢｌｕｅｔｏｏｔｈ規格に基づく短距離無線通信を行う通信部２５、通信衛星からの信号を用いて現在位置を表す座標値であるＧＰＳ情報を取得するＧＰＳ機能からなる位置特定部２６のほか、ユーザの入力を受け付けるための数字キーや方向キーからなる入力部２７を備えている。
データ記憶部２３は印刷情報やＲＦＩＤタグに読み書き可能なＲＦＩＤ情報をＢｌｕｅｔｏｏｔｈ通信等によって携帯型プリンタ２に送信して、印刷情報を印刷させたりＲＦＩＤ情報をＲＦＩＤタグに書き込ませたりするためのプログラム等を記憶している。
【００３２】
また、本実施形態のサーバ４は、図４のブロック図のように、装置全体を統括する処理制御部３１、上述のインターネットに接続して通信を行うための通信部３２、各種データやプログラムを記憶するデータ記憶部３４、多数の店舗の位置に係る店位置情報４１を格納する店舗データベース３５、各店舗の割引設定に係る第１割引設定情報４２が格納された割引設定データベース３６、各地域の地図情報が格納された地図データベース３７により構成される。
【００３３】
図５に、店舗データベース３５に記憶された店位置情報４１の例を示す。
図５のように、店位置情報４１は各店舗の店舗名と、緯度・経度情報とからなる。店舗データベース３５では、各店位置情報４１は各店舗のロゴマークと各店舗のＩＤと関連付けられて記憶される。また店舗データベース３５では、各店舗のジャンルや最寄駅等の種々の情報も店位置情報４１と関連付けられて格納されており、店舗データベース３５からは各種検索条件による検索に適合する店舗の店位置情報４１が容易に取得できるようになっている。
また図６に、割引設定データベース３６に記憶される来店時間に応じた第１割引設定情報４２の例を示す。図６の例では、第１割引設定情報４２は、店舗名と、各店舗の客に来店して欲しい各時間帯と、各時間帯に対応して設定される割引額とからなる。客に来店して欲しい時間帯は、本発明の割引が行われる来店時間である割引設定時間の一例である。図６のように、例えば、店Ａでは、１０：００〜１１：００に来店した客に対して５００円の割引額を設定している。
また、図示しないが地図データベース３７が格納する各地域の地図情報は、緯度・経度情報を基にその経度・緯度が示す位置の周辺地図が検索可能である。
【００３４】
次に、図７のフローチャートを基に、携帯型プリンタ２、携帯端末３及びサーバ４による割引情報表示処理について説明する。
まずステップ（以下Ｓと略記する）１において、携帯端末３から、サーバ４へ情報の送信が行われる。
Ｓ１のサーバ４への情報送信は、例えば、携帯端末３の利用者が、サーバ４が管理するインターネット上の店舗検索サイトにアクセスして、携帯端末３の表示装置２４に表示されるホームページ上で利用者が所望する検索条件（たとえば、店のジャンルや店へ到着するために許容できる時間等）による検索を行うことにより当該検索条件に係る情報がサーバ４に送信されることであってもよいし、単に携帯端末３の利用者が行きたいと思う店舗名等の情報がサーバ４に送信されることであってもよい。
そして検索条件に係る情報や店舗名に係る情報が送信される際には、携帯端末３の現在位置を特定するＧＰＳ情報が位置特定部２６により取得されて、上記検索条件に係る情報等と共にサーバ４に送信される。このＧＰＳ情報は、例えば、「緯度１３３．４５．５５．６６、経度１３４．６５．７８．９９」といった緯度経度情報である。
このような検索条件等の情報又は店舗名等の情報がＧＰＳ情報と共にサーバ４へ送信されることが、Ｓ２以降のサーバ４による処理のトリガとなる。
【００３５】
サーバ４の通信部３２においてＳ１で携帯端末３から送信された検索条件等の情報（又は店舗名等の情報）及びＧＰＳ情報が受信されると、サーバ４の処理制御部３１によりＳ２の処理が行われる。Ｓ２では、Ｓ１で送信された検索条件に係る情報（又は店舗名に係る情報）やＧＰＳ情報を基に店舗位置情報４１、店舗のロゴ、店舗ＩＤが取得され、データ記憶部３４に記憶されると共に、その店舗位置情報４１とＧＰＳ情報から店舗への到達に必要な最短時間が計算される。
例えば、Ｓ１において「徒歩３０分以内」という店舗へ到達するために許容できる時間に係る検索条件と「和食」という店にジャンルに係る検索条件がサーバ４に送信された場合に、店舗位置データベース３５から、当該検索条件に該当する店Ａ、店Ｂ及び店Ｃが検索されたとする。なお、「現在位置から徒歩３０分以内」との許容時間に係る検索は、Ｓ１で送信されたＧＰＳ情報と各店舗の店位置情報４１に基づく計算により行われる。
すると、当該検索条件に該当する店Ａ、店Ｂ及び店Ｃの各店位置情報４１（図５のように、店Ａの店位置情報４１は緯度１３３．３４．５６．８９、経度１３４．７８．５９．０８、店Ｂは緯度１３３．３４．５６．７５、経度１３４．７８．５９．４５、店Ｃは緯度１３３．３４．５６．２３、経度１３４．７８．５９．１５）が各店舗のロゴ、各店舗ＩＤと共にデータ記憶部３４に記憶されると共に、各店位置情報４１とＧＰＳ情報とを基に、店Ａ、店Ｂ、店Ｃのそれぞれについて携帯端末３の現在位置からの到着に必要な最短時刻が、所定の経路計算ソフトウェアを利用することにより計算される。
【００３６】
次に処理制御部３１はＳ３に進む。Ｓ３では、Ｓ２で検索された各店舗に係る各第１割引設定情報４２が割引設定データベース３６から読み出される。そして当該各第１割引設定情報４２（図６参照）に基づいて、Ｓ２で計算された最短時間に対応する割引設定時間５１と、該割引設定時間における割引額５０（図８参照）がそれぞれ取得される。
具体的には、第１割引設定情報４２に設定された店が来てほしい各時間帯のうち、現在時刻から最短時間分の時間を進めた「最早予測時刻」を含む時間帯があればその時間帯、当該「最早予測時刻」を含む時間帯がなければ、「最早予測時刻」よりも遅く、且つ最も早く始まる時間帯が「最早予測時刻」に対応する割引設定時間５１として選択されるとともに、その時間帯に係る割引額が当該割引設定時間に係る割引額５０として特定される。
例えば、現在時刻が１３時５０分で、Ｓ２で計算された現在位置から店Ａまで到達するまでに必要な最短時間は１５分だったとする。すると、店Ａへ到達する「最早予測時刻」は１３時５０分を１５分進めた１４時５分となり、この「最早予測時刻」に対応する割引設定時間５１は店Ａの第１割引設定情報４２（図６参照）に基づくと、「１４：００〜１６：００」の時間帯となり、この時間帯では割引額５０は「１０００円」となる。
【００３７】
次にサーバ４の処理制御部３１はＳ４に進む。Ｓ４では、Ｓ２〜Ｓ３で取得された、各店舗へ到達する「最早予測時刻」に対応する割引設定時間５１と該割引設定時間に係る割引額５０と店舗のロゴ５２とが書き込まれた割引店地図４５を示す割引店地図情報が作成される（図８参照）。
具体的には、まず、Ｓ３で割引額５０が取得された店舗の店位置情報４１とＳ１で送信されたＧＰＳ情報に基づき、地図データベース３７から、携帯端末３の現在位置と店舗の位置（例えば店Ａ、Ｂ、Ｃの位置）が含まれる地図に係る地図情報が検索される。そして検索された地図情報に示される地図上に、現在位置と店舗の位置が明示されるとともに、店舗の位置に対応してＳ３で取得された「最早予測時刻」に対応する割引設定時間５１と割引額５０と、Ｓ２で記憶された店舗のロゴ５２とが書き込まれることによって、図８に示す割引店地図４５を示す割引店地図情報が作成され、サーバ４のデータ記憶部３４に記憶される。なお、図８では、携帯端末３の現在位置はバツ６５で示されている。また割引額５０と割引設定時間５１と店舗のロゴ５２は、割引店地図４５上の各店舗の位置を示す点５４と引き出し線で接続する四角内に記載されている。このように割引店地図４５上の各店舗の位置と対応した形態で割引額５０と割引設定時間５１が示されると割引額と店舗との関係が一見して把握できるから便利である。しかし、割引額５０等は、地図の外に各店舗との対応が分かるようにまとめて記載される等、別の形態で示されていても良い。
【００３８】
また上述の割引店地図情報は、携帯端末３の表示装置２４に表示可能なイメージデータであるが、処理制御部３１により、割引店地図情報が作成されると共に当該割引店地図情報から携帯型プリンタ２により印刷可能な印刷情報が作成される。
また同時に、Ｓ３で取得された割引設定時間５１と割引額５０とＳ２で記憶された店舗ＩＤとから、割引設定時間５１と割引額５０と店舗ＩＤを内容としてＲＦＩＤタグに読み書き可能なＲＦＩＤ情報が作成される。
なお、印刷情報は後述のＳ５で携帯端末３に割引店地図情報が送信された後に、割引店地図情報から携帯端末３により作成されてもよい。
【００３９】
なお、仮にＳ１で店Ａの店舗名に係る情報がサーバ４に送信された場合は、Ｓ２では店舗名から店Ａの店舗位置情報４１が店舗位置データベース３５から検索されて、それを基に最短時間が計算され、Ｓ３では最短時間に対応する割引設定時間５１と割引額５０が取得されて、Ｓ４で作成される割引店地図情報は、店Ａのみの割引設定時間５１と割引額５０を示すものとなる。
【００４０】
次に、サーバ４の処理制御部３１はＳ５に進む。Ｓ５では、サーバ４の通信部３２から携帯端末３の通信部２５へ割引店地図情報をダウンロードするためのダウンロード用ＵＲＬが送信され、当該ＵＲＬは携帯端末３の処理制御部２２により表示装置２４に表示される。
【００４１】
するとＳ６において、携帯端末３の利用者は、入力部２７を介して表示装置２４に表示されたＵＲＬをクリックして、該ＵＲＬにアクセスする。すると目的の割引店地図情報がダウンロードされ、表示装置２４に表示される。その際にＳ４で作成された印刷情報とＲＦＩＤ情報もダウンロードされて携帯端末３のデータ記憶部２３に格納される。
図８のように表示装置２４に表示された割引店地図情報は、割引店地図４５上に、店Ａ、店Ｂ、店Ｃの位置を点５４により、現在位置をバツ６５により明示する。また割引店地図情報は、割引店地図４５上に、店Ａ、店Ｂ、店Ｃのロゴ５２、割引額５０、割引設定時間５１を各店舗の位置と対応した形態で示している。
【００４２】
次にＳ７において、携帯端末３では、例えば利用者から割引店地図４５を印刷して地図クーポンを作成するよう指示があった場合、印刷情報とＲＦＩＤ情報がデータ記憶部２３から読み出され、印刷指令及びＲＦＩＤ書き込み指令と共に、携帯端末３の通信部２５を介して携帯型プリンタ２に送信される。そして携帯型プリンタ２では印刷情報が印刷部１３に送られて不図示の給紙ローラやサーマルヘッド等により感熱用紙４６に印刷される。同時にＲＦＩＤ情報がＩＣタグ作成部１４に送られる。そして印刷情報の印刷時には不図示の給紙ローラによって不図示の給紙ケースから搬出される感熱用紙４６に埋め込まれたＲＦＩＤタグ４７に、ＲＦＩＤ情報がＩＣタグ作成部１４のＲＦＩＤライタ機能により書き込まれる。
すると、印刷された感熱用紙４６には、割引店地図４５が示される。すなわち、割引店地図４５上に店Ａ、店Ｂ、店Ｃの位置と現在位置が明示されると共に、店Ａ、店Ｂ、店Ｃのロゴ５２、割引額５０、割引設定時間５１が示されている。同時に、感熱用紙４６に埋め込まれたＲＦＩＤタグ４７には割引設定時間５１と割引額５０と店舗ＩＤとを内容とするＲＦＩＤ情報が書き込まれている。以上、ＲＦＩＤタグ４７付きの感熱用紙４６に印刷情報が印刷され、ＲＦＩＤ情報が書き込まれることにより割引クーポン券４８が作成される。
【００４３】
そして携帯端末３の利用者は携帯端末３の表示装置２４又は／及び割引クーポン券４８に示された割引店地図４５から、店舗の位置や割引額５０、そして割引設定時間５１（すなわち割引額５０による割引が行われる時間である）を見比べて、行きたい店舗を選択する。そして選択した店舗へ到着して割引クーポン券４８を提示する。すると、当該店舗では割引クーポン券４８に記載された割引設定時間５１が来店時刻と適合すれば割引額５０を割り引く。或いは当該店舗では、ＲＦＩＤタグ４７からＲＦＩＤ情報をＲＦＩＤリーダライタ７により読み取り、読み取ったＲＦＩＤ情報の店舗ＩＤ、割引額５０、割引設定時間５１が当該店舗のＩＤや割引設定と適合するか否か確認する。適合する場合は現在時刻が割引設定時間５１に適合するか否かを確認し、適合する場合は、ＲＦＩＤ情報に示される割引額５０を商品又はサービス価格から割引く。
【００４４】
なお、当該店舗が飲食店などで来店から清算までに時間が空く場合には、来店時に割引クーポン券４８を提示して、店舗のＲＦＩＤリーダライタ７によりＲＦＩＤタグ４７に来店時間を書き込み、清算時にＲＦＩＤタグ４７に書き込まれた来店時間が割引設定時間５１に適合するか否かを確認するのでもよい。
【００４５】
ここで、第１実施形態の割引設定データベース４６は第１割引設定記憶手段の一例である。またサーバ４の処理制御部３１は予測時刻取得手段と、割引情報取得手段を構成する。また「最早予測時刻」は本発明の予測来店時間の一例である。また第１割引額５０は第１割引内容の一例である。また割引店地図４５を示す割引店地図情報は第１識別情報の一例である。また携帯端末３の表示装置２４は表示手段の一例であると共に、携帯型プリンタ２の印刷部１３と感熱用紙４６も表示手段の一例である。また、ＧＰＳ情報は現在位置情報の一例である。携帯端末３の位置特定部２６は現在位置情報を取得する手段を構成する。サーバ４の通信部３２は受信手段を構成する。店舗データベース３５は店位置記憶手段を構成する。感熱用紙４６は印字媒体を構成する。
【００４６】
以上詳細に説明した通り、第１実施形態の商取引システムでは、サーバ４は、割引が行われる来店時間である割引設定時間と、割引設定時間に対応する割引内容とからなる第１割引設定情報４２に基づいて、携帯端末の利用者が当該店舗へ来店する場合に予測される「最早予測時刻」に対応する割引設定時間５１と該割引設定時間に係る第１割引額５０を示す割引店地図情報を取得する。そして当該割引店地図情報は、携帯端末の表示装置２７により表示されると共に、携帯型プリンタ３の印刷部１３と感熱用紙４６により表示される。よって、携帯端末の利用者には「最早予測時刻」に対応する割引設定時間５１と、当該割引設定時間５１に係る割引額５０が提示されるから、当該割引設定時間５０に店舗へ到着すれば割引額５０による割引サービスを受けられることが確実且つ容易に把握でき、割引設定時間５１に当該店舗へ足を運ぶという選択をし易くなる。
さらに、携帯端末３の利用者に提示される割引設定時間５１は、携帯端末３の利用者の「最早予測時刻」に対応しており、携帯端末３の利用者の事情に対応した割引設定時間であるから、携帯端末３の利用者は割引設定時間５１に当該店舗へ足を運ぶという選択を更にし易い。よって店舗では、客の来店時間が要望と合致しないことによる効率悪さを改善することができる。
【００４７】
また上記の割引店地図情報は、「最早予測時刻」に対応する割引設定時間５１と該割引設定時間５１に係る割引額５０を、現在位置と店舗の位置とを示す地図４５と共に示すものである。よって、携帯端末の利用者は、割引設定時間５１に当該店舗へ到着すれば割引額５０による割引サービスを受けられるだけでなく、その店舗が現在位置とどれほど離れているかも割引店地図４５を見て確実に把握でき、店舗へ行くか行かないかという判断を容易に行うことができ、非常に便利である。また携帯端末３の利用者は割引店地図４５を基に容易に店舗へ到着できて便利であるし、店舗としても集客効果が期待できる。
【００４８】
また第１実施形態の商取引システムでは、携帯端末３の利用者が店舗へ来店する場合の「最早予測時刻」を、店位置情報４１とＧＰＳ情報と現在時刻とに基づき算出する。よって携帯端末３の利用者が把握できる割引額５０は、携帯端末３の現在位置と店舗の位置と現在時刻とからサーバ４が算出する「最早予測時刻」に対応するものとなるから、携帯端末３の利用者は現在位置に基づいた適切な割引額５０を把握でき、店舗へ行くか行かないかという判断を適切に行うことができる。
【００４９】
また携帯型プリンタ２の印刷部１３は、サーバ４又は携帯端末３により割引店地図情報から作成された印刷情報を感熱用紙４６に印刷することにより、割引設定時間５１と割引額５０を示すクーポン券４８を作成する。よって、感熱用紙４６上で示される割引設定時間５１、割引額５０を利用者は更に確実に把握でき、携帯端末３の利用者は割引設定時間５１に店舗へ足を運ぶという選択をし易くなる。
また携帯端末３の利用者は、クーポン券４８を印刷して店舗へ提示することにより割引サービスを受けられて便利である。また店舗では、当該割引サービスにより利用者に、割引設定時間５１に店舗へ足を運ぶように動機付けられるから、客の来店時間が要望と合致しないことによる効率悪さをより確実に改善することができる。
また、印刷情報の内容は、該利用者が携帯端末によりサーバと通信する時間、携帯端末の現在位置等によって変化するが、その場合でもクーポン券４８を携帯型プリンタ２により容易に作成でき、非常に便利である。
【００５０】
またサーバ４により、割引設定時間５１と割引額５０に係りＲＦＩＤタグ４７に読み書き可能なＲＦＩＤ情報が作成され、当該ＲＦＩＤ情報がＩＣタグ作成部１４によってＲＦＩＤタグ４７に書き込まれることにより、ＲＦＩＤタグ４７付きのクーポン券４８が作成される。また携帯端末３の利用者は、店舗へ割引設定時間５１に来店してクーポン券４８のＲＦＩＤタグ４７がＲＦＩＤリーダライタ７に読み取られることにより割引額５０による割引サービスを受けることが可能である。
よって、携帯端末３の利用者はクーポン券４８を作成して店舗へ提示するだけで割引サービスを受けられ便利である。また、店舗でも、所望の時間に客が来店するよう動機付けられるだけでなく、ＲＦＩＤリーダライタ７により容易に割引を行うことができ便利である。また、ＲＦＩＤ情報による割引サービスは店舗ＩＤ等の認証技術と組み合わせることによりクーポン券４８の偽造等を回避できる利点もある。
また、ＲＦＩＤ情報の内容は、該利用者が携帯端末によりサーバと通信する時間、携帯端末の現在位置等によって変化するが、その場合でもＲＦＩＤタグ付きクーポン券４８を携帯型プリンタ２により容易に作成でき、非常に便利である。
【００５１】
また割引設定データベース３６は複数の店舗に係る第１割引設定情報４２を記憶し、店舗データベース３７はそれら複数の店舗に係る店位置情報４１を記憶し、割引店地図情報４５は、複数店舗のうち現在位置の周辺の複数店舗の位置を地図上に示すと共に、該周辺の複数店舗の割引設定時間５１と割引額５０を店舗毎に示す。よって、携帯端末の利用者は、現在位置の周辺の複数店舗に係る店舗毎の割引設定時間５１と割引額５０を一目で把握できるので、複数店舗の割引サービスを店舗との距離を考慮しながら非常に簡単に比較でき最適な選択をすることが容易である。また比較の対象は現在位置から足を運び易い現在位置の周辺店舗に限られるため、更に割引サービスの比較がしやすい。
【００５２】
次に、第２実施形態について図９〜図１０に基づき説明する。
図９に示すように、第２実施形態では、割引設定データベース３６に記憶されるのは、客の来店時間に対応するとともに、客の現在位置と店舗との距離に対応する割引設定を示す第２割引設定情報４３である。例えば店Ａでは１０：００〜１１：００に来店した客に対して５００円の割引額を設定すると同時に、店舗から３ｋｍ離れた場所から訪れた客には５０円の割引額を設定している。
【００５３】
次に、図１０のフローチャートを基に、第２実施形態のクーポン券作成処理について説明する。
ここでＳ１１〜１２の処理はＳ１〜３とほぼ同様である。
なお、Ｓ１２では、最短時間の計算の際に、ＧＰＳ情報と店位置情報４１とから携帯端末３の現在位置と店舗との距離が算出され、データ記憶部３４に記憶しておく。
【００５４】
また、Ｓ１３では、Ｓ３と異なり、Ｓ１２で検索された各店舗に係る各第２割引設定情報４３が割引設定データベース３６から読み出されるが、当該第２割引設定情報４２のうち、客に来て欲しい時間帯と各時間帯に係るそれぞれの割引額に関する情報に基づいて「最早予測時刻」に対応する割引設定時間と該割引設定時間に係る割引額が取得されるのはＳ３と同様である。
すなわち、現在時刻が１３時５０分で、Ｓ１２で計算された現在位置から店Ａまで到達するまでに必要な最短時間は１５分だったとする。すると、店Ａへ到達する「最早予測時刻」は１３時５０分を１５分進めた１４時５分となり、この「最早予測時刻」に対応する割引設定時間は店Ａの第２割引設定情報４３（図９参照）に基づくと、「１４：００〜１６：００」の時間帯となり、この割引設定時間に対応する割引額は「１０００円」となる。
このようにＳ１３で取得される割引額は第１実施形態の割引額５０と同様、予測来店時刻に応じた「時間による割引額」である。
【００５５】
次に、Ｓ１４では第２割引設定情報４３に基づき、距離に応じた「場所による」割引額が取得される。具体的には再び割引設定データベース３６から各店舗の第２割引設定情報４３が読み出される。またＳ１２でデータ記憶部３４に記憶された距離が読み出され、第２割引設定情報４３に基づき、当該距離に対応する割引額が取得される。
例えば、携帯端末３と店Ａが３.５ｋｍ離れていたとする。するとこの距離は店Ａの第２割引設定情報４３では「現在地から５ｋｍまで」に該当し、割引額は「１００円」となる。
【００５６】
次のＳ１５の処理では、Ｓ１３で取得された割引額とＳ１４で取得された割引額とが合算される。
すなわち上記の例で言うと、店Ａについては、店Ａへ到達する「最早予測時刻」が１４時５分であることによる割引額「１０００円」と、携帯端末３と店Ａが３.５ｋｍ離れていることによる割引額「１００円」が合算され、「１１００円」の割引額が取得される。
【００５７】
次に、Ｓ１６〜Ｓ１９の処理は、第１実施形態のＳ４〜Ｓ７とほぼ同様である。
ただしＳ１６において作成される割引店地図情報及び印刷情報の内容には、Ｓ３で取得される割引額５０の替わりに、Ｓ１５で合算された割引額が含まれる。また、Ｓ１６で作成されるＲＦＩＤ情報は、Ｓ３で取得される割引額５０の替わりに、Ｓ１４で取得された割引額とＳ１５で合算されてなる割引額とを内容とする。第２実施形態はこれらの点で第１実施形態と異なる。
【００５８】
よって第２実施形態では、割引店地図情報が携帯端末３の表示装置２４に表示されたり、印刷情報が携帯型プリンタ２の印刷部１３により印刷されることにより、携帯端末３の利用者に提示される割引店地図４５には、図８の割引額５０の代わりに、Ｓ１５で合算された割引額が示される。
また店舗のＲＦＩＤリーダライタ７により読み取られるＲＦＩＤ情報は割引額５０の代わりにＳ１４で取得された割引額とＳ１５で合算されてなる割引額を内容とする。そして、当該店舗では、ＲＦＩＤ情報の割引設定時間と現在時刻とが適合する場合は、Ｓ１５で合算された割引額、すなわち「時間による割引額」と「場所による割引額」の合計額を割り引く。一方、割引設定時間と現在時刻が適合しない場合は、Ｓ１４で取得された「場所による割引額」のみを割り引く。
【００５９】
ここで、Ｓ１５で合算された割引額は第２割引内容を構成する。また第２実施形態の割引店地図情報は第２割引情報の一例である。
【００６０】
よって、第２実施形態の商取引システムでは、サーバ４は、割引が行われる来店時間である割引設定時間と割引設定時間に係る割引内容を有すると共に、携帯端末の現在位置と店舗の距離に対応する割引内容を有する割引設定に係る第２割引設定情報４３を記憶し、第２割引設定情報４３に基づいて「最早予測時刻」に対応する割引設定時間と、Ｓ１５で合算した割引額を示す割引店地図情報を取得する。そして携帯端末３の表示装置２４及び携帯型プリンタ３の印刷部１３により割引店地図情報が表示される。
よって、携帯端末の利用者は、該割引設定時間に当該店舗へ到着すれば割引サービスを受けられることが確実に把握できるため、該割引設定時間に当該店舗へ足を運ぶという選択をし易くなる。以上により、当該店舗では、客の来店時間が店舗側の要望と合致しないことによる効率悪さを改善することができる。
さらに、Ｓ１５で合算した割引額は「最早予測時刻」に対応する割引設定時間だけでなく、携帯端末の現在位置と店舗との距離にも対応するから、当該店舗が離れた場所にいる携帯端末の利用者には大きな割引を与える割引設定をすることにより携帯端末の利用者が当該店舗へ足を運ぶ更に大きな動機付けとなる。よって店舗は新規顧客の獲得を行うことができる。
【００６１】
尚、本発明は前記実施形態に限定されることはなく、本発明の要旨を逸脱しない範囲内で種々の改良、変形が可能であることは勿論である。
例えば、実施形態では割引設定時間や割引額が地図上に記載されたイメージデータが携帯端末に表示され、携帯型プリンタにも印刷されていた。しかし、表示装置に表示及び／又は携帯型プリンタに印刷されるのは、割引設定時間や割引額の文字データのみであっても構わない。
【００６２】
また、実施形態では、割引サービスはＲＦＩＤタグを店舗端末のＲＦＩＤリーダが読み取ることにより行われていた。
しかし、割引サービスは、携帯端末の表示画面を店舗へ提示することによってのみ行われるのでも構わない。例えば、携帯画面に表示されたバーコードが店舗端末のバーコードリーダに読み取られることにより行われるのであってもよい。
また、割引サービスは印刷されたクーポン券を店舗へ提示することによってのみ行われるのでも構わない。例えば携帯型プリンタには割引額や該割引額による割引が行われる時間帯がバーコード情報としてバーコードが印刷され、そのバーコードを店舗のバーコード読み取り機で読み取ることにより割引サービスが行われるのでもよい。
【００６３】
また第２実施形態では、「時間による割引額」と「場所による割引額」の合計額が地図上に記載されるとしていたが、合計額ではなく「時間による割引額」と「場所による割引額」の両方を記載するのでもよいし、「時間による割引額」と「場所による割引額」と合計額を全て記載するのでもよい。
また実施形態では割引内容の例を割引額としていたが、割引率等でもよい。
【００６４】
また、実施形態では、携帯端末からサーバに送信された現在位置情報と店舗の位置情報から店に到達しうる最短時間が計算され、その最短時間に基づいて割引金額が特定されていた。しかし、携帯端末の利用者が、自らが到達を予測する時刻をサーバ４に送信して、その到達予定時刻に基づいて割引額が取得されるのでもよい。
【符号の説明】
【００６５】
１      商取引システム
２      携帯型プリンタ
３      携帯端末
４      サーバ
４５    割引店地図
５０    割引額
５１    割引設定時間  
【図１】
2011138328.tif 000003
【図２】
2011138328.tif 000004
【図３】
2011138328.tif 000005
【図４】
2011138328.tif 000006
【図５】
2011138328.tif 000007
【図６】
2011138328.tif 000008
【図７】
2011138328.tif 000009
【図８】
2011138328.tif 000010
【図９】
2011138328.tif 000011
【図１０】
2011138328.tif 000012